(57)【要約】【課題】負イオン・正イオンを含む空気イオンの有効濃度を維持した状態で安定して搬送する。【解決手段】空気を送風して搬送する空気搬送手段１と、当該空気搬送手段１によって搬送する空気を負イオンまたは正イオンまたはこれらの両イオンを含ませた空気イオンとする空気イオン発生手段２とを有した空気イオン搬送システムであって、空気を搬送する経路を通じて導電性を維持する導電構造を備える。具体的に導電構造は、少なくとも搬送する空気が接する部位を、導電性を有する金属材または炭素樹脂材などで構成する。そして、非導電性部に対しては他の導電性部に接続する導電部材３を設ける。この結果、空気イオンを搬送する経路の帯電を防止するので、有効濃度を維持した状態で安定して空気イオンを搬送することが可能になる。【選択図】        図１
2007017085.tif 000002
【特許請求の範囲】
【請求項１】
空気を送風して搬送する空気搬送手段と、当該空気搬送手段によって搬送する空気を負イオンまたは正イオンまたはこれらの両イオンを含ませた空気イオンとする空気イオン発生手段とを有した空気イオン搬送システムであって、空気を搬送する経路を通じて導電性を維持する導電構造を備えたことを特徴する空気イオン搬送システム。
【請求項２】
前記導電構造は、少なくとも搬送する空気が接する部位を、導電性を有する金属材または炭素樹脂材などで構成したことを特徴とする請求項１に記載の空気イオン搬送システム。
【請求項３】
前記導電構造は、非導電性部に対して導電性部を接続する導電部材を有してなることを特徴とする請求項１または２に記載の空気イオン搬送システム。
【請求項４】
空気を搬送する経路に帯電除去手段を設けたことを特徴とする請求項１〜３のいずれか一つに記載の空気イオン搬送システム。
【発明の詳細な説明】
【技術分野】
【０００１】
本発明は、本発明は、所望箇所に負イオン（マイナスイオン）や正イオン（プラスイオン）を空気に含ませた空気イオンを供給する空気イオン搬送システムに関するものである。
【背景技術】
【０００２】
近年、例えば高気密・高断熱の住宅などにおいて、屋内の空気が屋外の空気と十分に置換できないため、各々の部屋ごとに積極的に換気を行うようにした換気装置がある。この装置は、送風機によって給気ボックスから空気の供給を行い、送風機によって排気ボックスに空気を吸引するように構成したチャンバー送風機を備えている。チャンバー送風機には、多数のダクト孔を開口配置し、当該ダクト孔と各部屋の給気口および排気口とを個別に直接連結するように部屋ごと専用の給気ダクトおよび排気ダクトを配置してある。そして、チャンバー送風機の給気ボックス乃至そのダクト孔には、負イオン（マイナスイオン）発生手段を配置してあり、さらに各ダクト孔に風量調整手段を配置してある（例えば、特許文献１参照）。
【０００３】
また、空気搬送路の内壁面に浮遊物が付着することを防ぎ、空気搬送路に流れ込む空気を浮遊物が汚染することがない空調ダクト装置がある。この装置は、空気を給気するとともに空気に含まれる塵や埃を除去した後に空気を空気搬送路に送風する送風手段と、高電圧印加電極と当該高電圧印加電極に対向して配置された接地電極とを有して送風手段が送風した空気に負イオンを供給する負イオン発生手段と、負イオン発生装置が供給した負イオンによって負極性に帯電した空気に含まれる浮遊物が空気搬送路の内壁面に付着しないように空気搬送路の内壁面を負極性に帯電させる表面電位発生手段とを備えている（例えば、特許文献２参照）。
【０００４】
また、屋内に負イオンを供給し、しかも、冬期には屋内を効果的に加湿しながら換気することができる屋内強制換気システムがある。このシステムは、レナード式による負イオン発生手段が備えられるとともに、屋内から屋外に排出される空気と、屋外から屋内に供給される空気とを熱交換させる熱交換素子が備えられ、負イオン発生手段で発生させた負イオンが、熱交換素子と屋内給気口とを結ぶ給気通路に供給されるようになされている（例えば、特許文献３参照）。
【０００５】
【特許文献１】特開２００３−９７８３６号公報
【特許文献２】特開２００２−２７７０１０号公報
【特許文献３】特開２００４−１１６９７０号公報
【発明の開示】
【発明が解決しようとする課題】
【０００６】
ところで、近年では、負イオン（マイナスイオン）および正イオン（プラスイオン）を共に発生して空気に含ませた空気イオンによって、カビ菌およびウィルスなどの空気中に浮遊する細菌を殺菌、不活化することが知られている。
【０００７】
しかし、負イオンおよび正イオンは、給気ダクトや空気搬送路を経ている間に種々の帯電している物体に吸着される。すなわち、空気中での空気イオンの寿命は短く、イオン発生装置の出口から数ｍ程度で減衰してしまう。このため、人の居住空間（部屋）に供給されたときには空気イオンのイオン濃度が低下してしまうので、十分な空気イオンの効果を得ることが難しい。この結果、空調機や空気清浄装置から部屋へ空気イオンを供給する場合には、吹出口にイオン発生装置を取り付けなくてはならず、設計上の制約をうけることになる。
【０００８】
本発明は、上記実情に鑑みて、負イオン・正イオンを含む空気イオンの有効濃度を維持した状態で当該空気イオンを安定して搬送することができる空気イオン搬送システムを提供することを目的とする。
【課題を解決するための手段】
【０００９】
上記の目的を達成するために、本発明の請求項１に係る空気イオン搬送システムは、空気を送風して搬送する空気搬送手段と、当該空気搬送手段によって搬送する空気を負イオンまたは正イオンまたはこれらの両イオンを含ませた空気イオンとする空気イオン発生手段とを有した空気イオン搬送システムであって、空気を搬送する経路を通じて導電性を維持する導電構造を備えたことを特徴する。
【００１０】
本発明の請求項２に係る空気イオン搬送システムは、上記請求項１において、前記導電構造は、少なくとも搬送する空気が接する部位を、導電性を有する金属材または炭素樹脂材などで構成したことを特徴とする。
【００１１】
本発明の請求項３に係る空気イオン搬送システムは、上記請求項１または２において、前記導電構造は、非導電性部に対して導電性部を接続する導電部材を有してなることを特徴とする。
【００１２】
本発明の請求項４に係る空気イオン搬送システムは、上記請求項１〜３のいずれか一つにおいて、空気を搬送する経路に帯電除去手段を設けたことを特徴とする。
【発明の効果】
【００１３】
本発明に係る空気イオン搬送システムは、空気を搬送する経路を通じて導電性を維持する導電構造を備えたことにより、経路の帯電を防止するので、有効濃度を維持した状態で安定して空気イオンを搬送することができる。この結果、従前では、空気イオンが種々の帯電している物体に吸着されて数ｍ程度で減衰してしまうが、１０ｍから数十ｍ以上のレベルまで空気イオンを有効濃度で搬送できる。
【００１４】
また、導電構造に加えて、帯電除去手段を設けたことにより、空気イオンを搬送する経路の帯電をさらに防止する。この結果、空気イオンが吸着されることがないので、有効濃度を維持した状態で空気イオンをさらに安定して搬送することができる。
【発明を実施するための最良の形態】
【００１５】
以下に添付図面を参照して、本発明に係る空気イオン搬送システムの好適な実施の形態を詳細に説明する。なお、本実施の形態における空気イオン搬送システムは、空調設備や換気設備を導入するあらゆる用途に関し、例えば集合住宅、オフィス、医療施設、老健施設、宿泊施設、教育施設、美術館、工場などの建物への応用や、車両（乗用車、バス、電車など）への応用に適したものである。
【００１６】
図１は本発明に係る空気イオン搬送システムの実施の形態を示す概略図である。図１に示す空気イオン搬送システムは、空気を送風して搬送する空気搬送手段１と、空気を負イオンまたは正イオンまたはこれらの両イオンを含ませた空気イオンとする空気イオン発生手段２とを有して構成してある。
【００１７】
空気搬送手段１は、送風ユニット１１、ダクト１２、空気取入口部１３、空気吹出口部１４、継ぎ手１５、および片落管１６（パイプ径を変える）を有している。
【００１８】
送風ユニット１１は、主として箱状のケーシング１１ａ、および当該ケーシング１１ａに収容した送風機１１ｂからなる。すなわち、送風ユニット１１は、送風機１１ｂの稼働によってケーシング１１ａの内部に空気を吸込み、この吸込んだ空気をケーシング１１ａの外部に吹出す。また、ケーシング１１ａの内部において、送風機１１ｂの空気吹出側には、空気を清浄する清浄手段としてのフィルタ１１ｃが設けてある。フィルタ１１ｃは、例えばＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）などからなり、送風機１１ｂの稼働によってその入口側から出口側に通過する空気中の塵埃などを主に除去する。なお、フィルタ１１ｃは、通過する空気の状態に応じて比較的粗大な汚染物を除去するフィルタや、ＮＯX・ＳＯXや化学物質や花粉などを除去するフィルタを適宜採用してもよい。
【００１９】
ダクト１２は、ケーシング１１ａの外部から当該ケーシング１１ａの内部に吸込まれる空気を通し、またケーシング１１ａの外部に吹出された空気を所定域に通す管である。
【００２０】
空気取入口部１３は、ダクト１２の吸込み側の端部に設けてあり、外気などをダクト１２に取入れる口をなしている。なお、空気取入口１３は、外気に加えて換気のために所定域からの空気を取り入れる口として用いる場合もある。
【００２１】
空気吹出口部１４は、ダクト１２の吹出し側の端部に設けてあり、所定域に空気を吹出す口をなしている。
【００２２】
継ぎ手１５は、各ダクト１２の間や、ケーシング１１ａとダクト１２との間に設けてあり、相互間を接続するものである。また、継ぎ手１５は、図１に示すように太径のダクト１２と、空気吹出口部１４を配設する細径のダクト１２とを接続して相互のダクト１２の管径を変えるためのものでもある。
【００２３】
片落管１６は、ダクト１２の管径を変えるためのものであって、太径のダクト１２の端部に空気吹出口部１４を取り付ける場合に、ダクト１２と空気吹出口部１４との間に配設する。
【００２４】
空気搬送手段１は、送風ユニット１１の送風機１１ｂの稼働によって空気取入口部１３から取入れた外気（空気）を、ダクト１２を通して各空気吹出口部１４から所定域（部屋など）に吹出す。図１に示す空気搬送手段１では、太径のダクト１２の間に継ぎ手１５を複数（４つ）介在して細径のダクト１２を複数接続して、複数の所定域に空気を吹出すように構成してある。なお、上述した空気搬送手段１は、１つの空気取入口部１３を有して構成してあるが、これに限らず空気取入口部１３を複数有して、当該各空気取入口部１３を複数のダクト１２を介してそれぞれ送風ユニット１１に対して接続してあってもよい。また、上述した空気搬送手段１は、５つ（複数）の空気吹出口部１４を有しているが、これに限らず、空気吹出口部１４を１つにしてもよい。
【００２５】
空気イオン発生手段２は、周囲の空気に正イオンを発生させる正イオン発生装置、周囲の空気に負イオンを発生させる負イオン発生装置、あるいは周囲の空気に正イオンおよび負イオンを共に発生させる正負イオン発生装置などを含む。すなわち、空気イオン発生手段２としては、正イオン発生装置のみ、負イオン発生装置のみ、正イオン発生装置および負イオン発生装置の組み合わせ、正負イオン発生装置での構成がある。図１ではこれらのイオン発生装置を、空気搬送手段１における送風ユニット１１のケーシング１１ａの内部であって、フィルタ１１ｃの出口側に４つ配置した例を示す。
【００２６】
正イオン発生装置および負イオン発生装置を組み合わせた構成の場合には、正イオン発生装置と負イオン発生装置とを所定間隔をおいて配置する。所定間隔は、例えば０．１ｃｍ以上、好ましくは０．５ｃｍ以上、さらに好ましくは１ｃｍ以上とするのがよい。このようにイオン発生装置を少なくとも０．１ｃｍ以上離して設置することにより、発生したイオンの減衰が激減する。なお、所定間隔は、イオン発生装置の配置される部位の容積、設置数またはイオン発生能力により、最適な間隔は適宜変化する。また、図には明示しないが正イオン発生装置と負イオン発生装置との間に仕切部を設けてもよい。さらに、正イオン／負イオンを共に発生させる装置を１個または複数設置する場合も同様である。
【００２７】
正イオン発生装置および負イオン発生装置の組み合わせ、または正負イオン発生装置で構成した空気イオン発生手段２は、図には明示しないが、高電圧発生部とイオン発生部とを対向配置し、高電圧発生部からイオン発生部に高電圧を印加することによってコロナ放電により、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）とを主体とした正負のイオン（プラスイオンとマイナスイオン）を生成する。これら、Ｈ+（Ｈ2Ｏ）mおよびＯ2-（Ｈ2Ｏ）nは、浮遊菌の表面に付着し、化学反応して活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中の浮遊細菌を取り込んで不活化することができる。ここで、・ＯＨは活性種の１種であり、ラジカルのＯＨを示している。
【００２８】
正負のイオンは、浮遊細菌の細胞表面で下記式（１）〜式（３）に示すように化学反応して、活性種である過酸化水素（Ｈ2Ｏ2）または水酸基ラジカル（・ＯＨ）を生成する。ここで、式（１）〜式（３）において、ｍ、ｍ′、ｎ、ｎ′は任意の自然数である。これにより、活性種の分解作用によってウィルスなどの浮遊細菌が破壊される。したがって、効率的に空気中の浮遊細菌を不活化、殺菌することができる。
【００２９】
Ｈ+（Ｈ2Ｏ）m＋Ｏ2-（Ｈ2Ｏ）n→・ＯＨ＋1/2Ｏ2＋（ｍ＋ｎ）Ｈ2Ｏ…式（１）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→２・ＯＨ＋Ｏ2＋（ｍ＋ｍ′＋ｎ＋ｎ′）Ｈ2Ｏ…式（２）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→Ｈ2Ｏ2＋Ｏ2＋（ｍ＋ｍ′＋ｎ＋ｎ′）Ｈ2Ｏ…式（３）
以上のメカニズムにより、前記正負イオンの放出により浮遊菌等の殺菌効果を得ることができる。
【００３０】
また、前記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化もしくは分解して、ホルムアルデヒドやアンモニア等の化学物質を、二酸化炭素や、水、窒素等の無害な物質に変換することにより、実質的に無害化することが可能である。
【００３１】
その他、正イオンと負イオンには、コクサッキーウィルス、ポリオウィルス、等のウィルス類も不活化する働きがあり、これらウィルスの混入による汚染が防止できる。また、正イオンと負イオンには、臭いの元となる分子を分離する働きがあることも確かめられており、空間の脱臭にも利用できる。また、正イオンと負イオンには、人体に影響を与えるアレルゲン（ハウスダスト、ダニ、カビ、花粉などアレルギーを引き起こす物質）を包み込んでその作用を抑制する作用もある。なお、空気イオン発生手段２としては、上記以外にも、レナード効果やプラズマなどによって空気イオン（正イオン，負イオン）を発生させることができる。
【００３２】
すなわち、空気イオン搬送システムは、空気搬送手段１において空気取入口部１３から取入れた外気（空気）を、空気イオン発生手段２によって負イオンまたは正イオンまたはこれらの両イオンを含ませた空気イオンとして、ダクト１２を通して各空気吹出口部１４から所定域（部屋など）に空気イオンを吹出す。
【００３３】
ところで、上述した空気イオン搬送システムにおいては、空気を搬送する経路を通じて導電性を維持する導電構造を備えている。
【００３４】
導電構造としては、空気搬送手段１をなす送風ユニット１１、ダクト１２、空気取入口部１３、空気吹出口部１４、継ぎ手１５、および片落管１６などの構成品を、導電性を有する金属材または炭素樹脂材などの導電材で構成して、各構成品を通じて導電性を維持する。
【００３５】
また、空気搬送手段１をなす送風ユニット１１、ダクト１２、空気取入口部１３、空気吹出口部１４、継ぎ手１５、および片落管１６の少なくとも搬送する空気が接する部位（例えば内壁面）を、導電性を有する金属材または炭素樹脂材などで構成して各構成品を通じて導電性を維持してもよい。例えば、図２に斜線部で示す部分を導電性を有する金属材または炭素樹脂材などで構成する。この場合、空気が接する面を金属材や炭素樹脂材などを練り込んだ樹脂で形成したり、空気が接する面に金属材や炭素樹脂材などを練り込んだ塗料を塗布する。
【００３６】
また、ダクト１２の端部や、継ぎ手１５などは、空気の漏れがない接続形態をなすために導電部材で構成し難く、非導電性部として構成する場合がある。この場合、図１および図２に示すように非導電性部を他の導電性部に対してケーブルなどで構成した導電部材３で接続して導電性を保持する。すなわち、導電部材３によって空気を搬送する経路を通じて導電性を維持する。また、導電部材３は、導電性部同士を接続して導電性を高めるようにしてもよい。
【００３７】
このように、空気を搬送する経路を通じて導電性を維持する導電構造を備えたことによって、空気を搬送する経路を通じて帯電を防止する。この結果、負イオンまたは正イオンまたはこれらの両イオンを含ませた空気イオンが吸着されることがないので、有効濃度を維持した状態で空気イオンを安定して搬送することが可能になる。
【００３８】
さらに、上述した空気イオン搬送システムにおいては、上記導電構造に加えて、帯電除去手段を設けることが好ましい。帯電除去手段としては、図１に示すように空気搬送手段１をなす送風ユニット１１、ダクト１２、空気取入口部１３、空気吹出口部１４、継ぎ手１５、および片落管１６に、アース４を設ける。あるいは、空気搬送手段１をなす送風ユニット１１、ダクト１２、空気取入口部１３、空気吹出口部１４、継ぎ手１５、および片落管１６に、帯電除去装置５を設ける。
【００３９】
帯電除去装置５には、例えば交流式除電装置、高周波コロナ除電装置、ブロワー式除電装置、光照射除電装置、極軟Ｘ線除電装置、真空紫外線除電装置、大気圧グロー放電式除電装置、およびドライフォグ除電装置などがある。
【００４０】
このように、導電構造に加えて、空気搬送手段１に帯電除去手段を設けたことにより、空気搬送手段１の帯電をさらに防止する。この結果、負イオンまたは正イオンまたはこれらの両イオンを含ませた空気イオンが吸着されることがないので、有効濃度を維持した状態で空気イオンをさらに安定して搬送することが可能になる。
【００４１】
なお、図３上述した空気イオン搬送システムと従前のシステムとを比較した図である。図３に示すように導電構造（および帯電除去手段）によってシステム全体を非帯電とした場合（イ）では、空気イオンを安定して搬送する。この（イ）を空気イオン搬送効率１００％とすると、非帯電としない既存（従前）のシステムの場合（ハ）は、空気イオンが帯電によって吸着されるので空気イオン搬送効率がほとんど０％となる。なお、空気搬送手段１をなす送風ユニット１１（ケーシング１１ａ，送風機１１ｂ）、ダクト１２、空気取入口部１３、空気吹出口部１４、継ぎ手１５、および片落管１６などいずれかの構成品単体を非帯電とした場合（ロ）では、空気イオンが帯電によって吸着される部位があるために空気イオン搬送効率が不安定になる。
【００４２】
ところで、図４は図１に示す空気イオン搬送システムの変形例を示す概略図、図５〜図７は図１に示す空気イオン搬送システムの適用例を示す概略図である。
【００４３】
図４に示す空気イオン搬送システムは、空気イオン発生手段２を空気搬送手段１の送風ユニット１１とは別に構成したものである。空気イオン発生手段２は上述と同様の構成であり、図４では、空気搬送手段１のダクト１２の間に接続したケーシング２ａの内部にイオン発生装置を４つ配置した例を示す。このように、空気イオン発生手段２は、送風ユニット１１と別に構成してあってもよい。なお、図４に示す空気イオン搬送システムでは、継ぎ手１５を図示していないが、図１に示すように継ぎ手１５を用いてもよく、また継ぎ手１５およびダクト１２を介して空気吹出口部１４を複数設けてもよい。なお、図４においては、空気イオン発生手段２を配置したケーシング２ａを送風ユニット１１の下流側に配置した形態を図示しているが、これに限らず空気イオン発生手段２を配置したケーシング２ａを送風ユニット１１の上流側に配置してもよい。
【００４４】
図５に示す空気イオン搬送システムは、全熱交換空調システムを構成してある。この場合、空気搬送手段１の送風ユニット１１は、ケーシング１１ａの内部に給気送風機１１ｂと排気送風機１１ｂとを有している。給気送風機１１ｂは、隔壁１１ｄで２つに区画されたケーシング１１ａの一方の領域１１Ａ内に配置してある。一方の領域１１Ａの空気吸込側は、空気取入口部１３に通じるダクト１２に接続してあり、その空気吹出側が所定域としての部屋１７に開口する空気吹出口部１４に通じるダクト１２に接続してある。また、ケーシング１１ａの一方の領域１１Ａには、空気の熱交換を行うコイル１１ｅおよびフィルタ１１ｃが設けてある。排気送風機１１ｂは、隔壁１１ｄで２つに区画されたケーシング１１ａの他方の領域１１Ｂ内に配置してある。他方の領域１１Ｂの空気吸込側は、所定域である部屋１７に設けた空気吸込口部１８に通じるリターン用のダクト１２に接続してあり、その空気吹出側が外気に開口する空気排出口部１９に通じるダクト１２に接続してある。また、他方の領域１１Ｂには、フィルタ１１ｃが設けてある。
【００４５】
また、空気搬送手段１において、送風ユニット１１、ダクト１２、空気取入口部１３、空気吹出口部１４、空気吸込口部１８、および空気排出口部１９は、導電性を有する金属材または炭素樹脂材などで構成した導電構造を備えている。なお、図には明示しないが上述した継ぎ手１５および片落管１６有してもよく、これらを導電性を有する金属材または炭素樹脂材などで構成する。さらに、ケーシング１１ａとダクト１２との間、空気吹出口部１４とダクト１２との間、空気吸込口部１８とダクト１２との間には、上述した導電部材３が設けてある。また、空気搬送手段１には、導電構造に加えて、上述した帯電除去手段（アース４および帯電除去装置５）が設けてある。
【００４６】
そして、空気イオン発生手段２は、上述した構成と同様であって、図５に示すようにケーシング１１ａ内の給気送風機１１ｂの吹出側に配設してある。なお、図には明示しないが、空気イオン発生手段２は、空気取入口部１３に通じるダクト１２、一方の領域１１Ａのフィルタ１１ｃ入口側、一方の領域１１Ａのフィルタ１１ｃ出口側であってコイル１１ｅ入口側、空気吹出口部１４に通じるダクト１２、空気吸込口部１８に通じるダクト１２、他方の領域１１Ｂのフィルタ１１ｃ入口側、および空気排出口部１９に通じるダクト１２に配設してもよい。
【００４７】
図５に示す空気イオン搬送システムは、給気送風機１１ｂを稼働することによって空気取入口部１３からダクト１２を通して外気を取入れ、ケーシング１１ａの一方の領域１１Ａにおいてフィルタ１１ｃおよびコイル１１ｅを通過させた後、ダクト１２を通して空気吹出口部１４から部屋１７内に吹出す。一方、排気送風機１１ｂを稼働することによって部屋１７内の空気を空気吸込口部１８からダクト１２を通し、ケーシング１１ａの他方の領域１１Ｂにおいてフィルタ１１ｃを通過させた後、ダクト１２を通して空気排出口部１９から外気に排気する。この際、空気イオン発生手段２は、空気搬送手段１が搬送する空気をイオンを含ませた空気イオンとする。この空気イオンは、導電構造および帯電除去手段によって帯電を防止された空気搬送手段１で搬送されるので、有効濃度を維持した状態で安定して搬送され、除菌、抗ウィルスおよび抗アレルゲン作用を行う。このように、本実施の形態における空気イオン搬送システムは、全熱交換空調システムに適用することが可能である。
【００４８】
図６に示す空気イオン搬送システムは、オフィスビルなどの建物１００の空調システムを構成してある。図６に示すように空調機１０１には、冷却塔１０２から熱源（冷却ヒートポンプチラーおよびボイラなど）１０３を介した冷温水が循環される。空調機１０１は、ダクト１２を通して空気取入口部１３から取入れた外気を、ダクト１２を通して空気吹出口部１４から建物１００における各階の部屋１７に吹出す。一方、空調機１０１は、部屋１７内の空気を空気吸込口部１８からダクト１２を通して吸込み、この空気を調節して再びダクト１２を通して空気吹出口部１４から部屋１７に吹出す。また、部屋１７内の空気は、空調システムとは別に設けた空気吸込口部１８’およびダクト１２’を通して空気排出口部１９’から外気に排出する。
【００４９】
そして、上記空調システムに上述の空気イオン発生手段２を設け、必要に応じて空気イオンを搬送する経路に導電構造および帯電除去手段を備える。例えば、図６に示すように空調機１０１に空気イオン発生手段２を設け、空調機１０１、空気吹出口部１４、および空調機１０１から空気吹出口部１４に通じるダクト１２に導電構造および帯電除去手段（アース４）を備える。この結果、空調システムにおいて、空調機１０１からダクト１２を通して空気吹出口部１４に至る経路に、有効濃度を維持した状態で安定して空気イオンを搬送できる。また、必要に応じて、空調機１０１、冷却塔１０２、熱源１０３、ダクト１２、空気取入口部１３、および空気吹出口部１４などに空気イオンを搬送する場合に、その経路に導電構造および帯電除去手段を備えればよい。このように必要に応じて空気イオン搬送システムを構築することが可能になる。なお、空気イオン発生手段２は、空調機１０１以外に、ダクト１２，１２’、空気取入口部１３、空気吸込口部１８，１８’、あるいは空気排出口部１９’など、必要に応じて空気イオンの効果を得たい部位に設けてもよい。
【００５０】
図７に示す空気イオン搬送システムは、図６に示す空気イオン搬送システムと同様に建物１００の空調システムを構成してある。図７に示すように空調機１０１には、冷却塔１０２から熱源（冷却ヒートポンプチラーおよびボイラなど）１０３を介した冷温水が循環される。空調機１０１は、ダクト１２を通して空気取入口部１３から取入れた外気を、ダクト１２を通して空気吹出口部１４から建物１００における各階の部屋１７に吹出す。一方、空調機１０１は、部屋１７内の空気を空気吸込口部１８からダクト１２を通して吸込み、ダクト１２を通して空気排出口部１９から外気に排出する。また、空調機１０１は、部屋１７内の空気を空気吸込口部１８からダクト１２を通して吸込み、この空気を調節して再びダクト１２を通して空気吹出口部１４から部屋１７に吹出す。
【００５１】
そして、上記空調システムに上述の空気イオン発生手段２を設け、必要に応じて空気イオンを搬送する経路に導電構造および帯電除去手段を備える。例えば、図７に示すように空調機１０１に空気イオン発生手段２を設け、空調機１０１、空気吹出口部１４、および空調機１０１から空気吹出口部１４に通じるダクト１２に導電構造および帯電除去手段（アース４）を備える。この結果、空調システムにおいて、空調機１０１からダクト１２を通して空気吹出口部１４に至る経路に、有効濃度を維持した状態で安定して空気イオンを搬送できる。また、必要に応じて、空調機１０１、冷却塔１０２、熱源１０３、ダクト１２、空気取入口部１３、空気吹出口部１４、空気吸込口部１８、および空気排出口部１９などに空気イオンを搬送する場合に、その経路に導電構造および帯電除去手段を備えればよい。このように、必要に応じて空気イオン搬送システムを構築することが可能になる。なお、空気イオン発生手段２は、空調機１０１以外に、ダクト１２、空気取入口部１３、空気吸込口部１８、あるいは空気排出口部１９など、必要に応じて空気イオンの効果を得たい部位に設けてもよい。
【００５２】
したがって、上述した空気イオン搬送システムでは、導電構造を備えて空気イオンを搬送する経路を通じて導電性を維持することによって、当該経路の帯電を防止するので、有効濃度を維持した状態で安定して空気イオンを搬送することが可能になる。この結果、従前では、空気イオンが種々の帯電している物体に吸着されて数ｍ程度で減衰してしまうが、１０ｍから数十ｍ以上のレベルまで空気イオンを有効濃度で搬送できる。特に、空気が乾燥する時期には、空気搬送手段１の構成部が帯電し易くなるが、これを防止するので年間を通し、連続して空気イオンを安定した有効濃度で搬送することが可能になる。
【００５３】
また、有効濃度を維持した状態で安定して空気イオンを搬送することが可能なため、従前では、各部屋の吹出口に空気イオン発生手段２を取り付けなくてはならず設計上の制約をうけることになるが、空気イオン発生手段２の取り付け位置を自由に設定することが可能になる。例えば、上述したように送風ユニット１１や空調機１０１に空気イオン発生手段２を取り付けた場合には、空気イオンの発生に伴い様々な運転条件を設定することが可能になる。さらに、各部屋の吹出口に空気イオン発生手段２を取り付けなくてもよいため、水廻り部や、特殊な部屋（冷凍室、冷蔵室、高温室、工場や医療施設で薬剤を使用する薬剤薫蒸室など）での空気イオン発生手段２への直接的なダメージがなく、継続的で安定した空気イオンの供給が可能になる。
【００５４】
また、導電構造に加えて、帯電除去手段を設けたことにより、空気イオンを搬送する経路の帯電をさらに防止する。この結果、負イオンまたは正イオンまたはこれらの両イオンを含ませた空気イオンが吸着されることがないので、有効濃度を維持した状態で空気イオンをさらに安定して搬送することが可能になる。
【００５５】
なお、上述した空気イオン搬送システムでは、空調システムや換気システムなどを対象に説明したが、空気以外の気体を搬送するシステムにおいても応用可能である。
【図面の簡単な説明】
【００５６】
【図１】本発明に係る空気イオン搬送システムの実施の形態を示す概略図である。
【図２】図１に示す空気イオン搬送システムの導電構造を示す概略図である。
【図３】本発明に係る空気イオン搬送システムと従前のシステムとを比較した図である。
【図４】図１に示す空気イオン搬送システムの変形例を示す概略図である。
【図５】図１に示す空気イオン搬送システムの適用例を示す概略図である。
【図６】図１に示す空気イオン搬送システムの適用例を示す概略図である。
【図７】図１に示す空気イオン搬送システムの適用例を示す概略図である。
【符号の説明】
【００５７】
１    空気搬送手段
１１    送風ユニット
１１ａ    ケーシング
１１ｂ    送風機
１１ｃ    フィルタ
１１ｄ    隔壁
１１ｅ    コイル
１１Ａ    一方の領域
１１Ｂ    他方の領域
１２    ダクト
１３    空気取入口部
１４    空気吹出口部
１５    継ぎ手
１６    片落管
１７    部屋
１８    空気吸込口部
１９    空気排出口部
２    空気イオン発生手段
２ａ    ケーシング
３    導電部材
４    アース
５    帯電除去装置
１００    建物
１０１    空調機
１０２    冷却塔
１０３    熱源
【図１】
2007017085.tif 000003
【図２】
2007017085.tif 000004
【図３】
2007017085.tif 000005
【図４】
2007017085.tif 000006
【図５】
2007017085.tif 000007
【図６】
2007017085.tif 000008
【図７】
2007017085.tif 000009